(57)【要約】【課題】内装壁等を構成する壁板に前面側から取り付け、壁板から容易に浮き上らないハンガーフックを提供する。【解決手段】フックケーシング２は、壁板Ｐの取り付け開口Ｐ１に前後方向に嵌挿される嵌挿部１１と、この嵌挿部１１の前端部外周に形成され壁板Ｐの前面に当接する鍔部１２とを具備する。フックケーシング２の前面側から回転操作可能な操作ねじ２２が前後方向に貫通し、これにラッチ部材２３が螺合する。ラッチ部材２３は、嵌挿部１１の取り付け開口Ｐ１への挿入を妨げない初期位置から、操作ねじ２２の締め込みにより、取り付け開口Ｐ１を通過不能な抜け止め位置まで回転し、停止面に当接して停止し、さらなる締め込みにより前方へ引き出され、鍔部１２との間に壁板Ｐを挟持する。ラッチ部材２３は、ばね２４で付勢して操作ねじ２２と共回りさせる。嵌挿部１１の下端部の抜け止め爪１１ａがフックケーシング２の壁板Ｐからの浮き上がりを阻止する。【選択図】図５
2018187214.tif 000002
【特許請求の範囲】
【請求項１】
内装壁を構成する壁板の前面側に固定される上下方向に長いフックケーシングと、フックケーシングの前面側に沿って上下方向に延び下端側において水平軸によりフックケーシングに起立倒伏自在に枢支され当該水平軸周りのセクタ歯車を有するフックと、フックケーシング内に設けられフックを倒伏方向に付勢する付勢手段と、フックケーシング内に固定されフックのセクタ歯車に噛み合う制動歯車を有する回転ダンパとを具備し、
前記フックケーシングは、前記壁板に形成される取り付け開口に前後方向に嵌挿される嵌挿部と、この嵌挿部の前端部外周に形成され壁板の前面に当接する鍔部と、倒伏状態の前記フックを収納するように前面側に開放する収納凹部とを具備し、
前記フックケーシングには、前記フックを起立させた状態において前記収納凹部の前面側から回転操作可能な位置に、前記収納凹部を前後方向に貫通する操作ねじが挿通され、
前記操作ねじには、前記フックケーシングの後方位置において、当該操作ねじに対して供回りするための所定の摩擦抵抗をもって螺合するラッチ部材が螺合され、
前記ラッチ部材は、前記フックケーシングに対して前記取り付け開口への挿入を妨げない初期位置と取り付け開口に対して出入り不能となる抜け止め位置とで回転規制され、両位置間で前記操作ねじと共に回転可能で、抜け止め位置において操作ねじにより前方へ引き寄せられて前記鍔部との間で壁板を挟持可能に構成され、
前記嵌挿部の下端部外周面から突出し、前記壁板の取り付け開口への嵌挿部の挿入を妨げることなく、起立状態の前記フックにかかる前方への荷重による前記フックケーシングの壁板からの浮き上がりを阻止する抜け止め爪を具備することを特徴とするハンガーフック。
【請求項２】
前記嵌挿部は、前記収納凹部および鍔部と一体に形成され後方へ互いに平行に延びる左右一対の側壁部と、前記回転ダンパを保持して当該一対の側壁部間に嵌合固定されるダンパ保持部材とを具備し、
前記ダンパ保持部材は、前記一対の側壁部の後端部間を閉じる後端壁と、当該後端壁から側壁部と平行に垂直に起立する支持板部と、側壁部への嵌合時に当該側壁部にスナップ係合する係合爪とを具備し、
前記支持板部は、その一側面に、前記回転ダンパの本体を嵌合保持する保持凹部を具備し、
前記回転ダンパは、回転軸を前記支持板部と直交方向に向け前記制動歯車を支持板部の一側面から側方へ突出させて支持板部に固定され、前記ダンパ保持部材が前記一対の側壁部に嵌合されるとき、制動歯車が前記フックのセクタ歯車に噛み合うように配置されることを特徴とする請求項１に記載のハンガーフック。
【発明の詳細な説明】
【技術分野】
【０００１】
本発明は、車両や建物の内装壁等を構成する壁板に固定されるハンガーフックに関し、常時は壁面に対して倒伏した状態にあるフックを使用時に起立させることができるハンガーフックに係るものである。
【背景技術】
【０００２】
従来、ハンガーフックとして特許文献１に記載されたものが知られている。このハンガーフックは、フックとそれを倒伏状態で収納するケーシングとを備え、フックをケーシングから起立させることによって、フックに衣服等を掛けることができるように構成される。フックには、ケーシング側へ倒伏する方向、すなわちケーシングに収納される方向に付勢するばねが係止される。フックの回転軸には、セクタ歯車が形成され、ケーシングには、セクタ歯車にかみ合う制動歯車を有する回転ダンパが取り付けられる。回転ダンパは、ケーシング側に倒伏しようとするフックの回転を抑制し、倒伏までの時間を引き延ばすことにより、使用者に動作の時間的余裕を与え、フックに衣服等を掛けやすくする。
また、特許文献２には、上記ハンガーフックにおいて、フックがケーシングに対して大きく回転したとき、セクタ歯車がケーシングから露出する危惧を利用者に与える問題点を解決し、フックの使用時に歯車が露出することがないハンガーフックが提案されている。
【先行技術文献】
【特許文献】
【０００３】
【特許文献１】特開２００５−２４５５５４号公報
【特許文献２】特開２０１０−１７４８２号公報
【発明の概要】
【発明が解決しようとする課題】
【０００４】
上記従来のハンガーフックにおいては、フックケーシングの底面にビスをねじ込んで構造物に直接的に、又は取り付けブラケットを介して間接的に取り付けられる。
本発明は、構造物にビスをねじ込むことなく、内装壁等を構成する壁板に前面側から確実に固定することができ、しかもフックに荷重がかかっても壁板から容易に浮き上ることがないハンガーフックを提供することを目的としている。
【課題を解決するための手段】
【０００５】
上記課題を解決するための、本発明のハンガーフック１は、壁板Ｐの前面側に固定される上下方向に長いフックケーシング２と、フックケーシング２の前面側に沿って上下方向に延び下端側において水平軸４によりフックケーシング２に起立倒伏自在に枢支され、当該水平軸４周りのセクタ歯車７を有するフック３と、フックケーシング２内に設けられ、フック３を倒伏方向に付勢する付勢手段５と、フックケーシング２内に固定されフック３のセクタ歯車７に噛み合う制動歯車１０を有する回転ダンパ６とを具備する。フックケーシング２は、壁板Ｐに形成される取り付け開口Ｐ１に前後方向に嵌挿される嵌挿部１１と、この嵌挿部１１の前端部外周に形成され壁板Ｐの前面に当接する鍔部１２と、倒伏状態のフック３を収納するように前面側に開放する収納凹部１３とを具備する。フックケーシング２には、フック３を起立させた状態において収納凹部１３の前面側から回転操作可能な位置に、収納凹部１３を前後方向に貫通する操作ねじ２２が挿通される。操作ねじ２２には、フックケーシング２の後方位置において、当該操作ねじ２２に対して供回りするための所定の摩擦抵抗をもって螺合するラッチ部材２３が螺合される。ラッチ部材２３は、取り付け開口Ｐ１への挿入を妨げない初期位置から、停止面２５ｂに当接して回転阻止された状態で取り付け開口Ｐ１に対して出入り不能となる抜け止め位置まで、操作ねじ２２と共に回転可能で、かつ抜け止め位置において操作ねじ２２により前方へ引き寄せられて鍔部１２との間で壁板Ｐを挟持可能に構成される。
【発明の効果】
【０００６】
本発明のハンガーフック１においては、フックケーシング２を壁板Ｐの取り付け開口Ｐ１に嵌挿させて鍔部１２を壁板Ｐの前面に当接させ、操作ねじ２２の回転操作によりラッチ部材２３を壁板Ｐの後面に押し当てて、フックケーシング２の鍔部１２とラッチ部材２３との間で壁板Ｐを挟持するので、壁板Ｐの前方から簡単かつ確実に取り付けることができる。フック３に前方への荷重がかかっても抜け止め爪１１ａによりフックケーシング２が壁板から容易に浮き上ることがない。
【図面の簡単な説明】
【０００７】
【図１】本発明に係るハンガーフックの正面図である。
【図２】図１のハンガーフックの背面図である。
【図３】図１のハンガーフックの平面図である。
【図４】図１のハンガーフックの側面図である。
【図５】図１のハンガーフックの縦断面図である。
【図６】図１のハンガーフックにおけるフックと回転ダンパとの係合状態を示す説明図である。
【図７】図１のハンガーフックにおけるフックケーシングの正面図である。
【図８】図１のハンガーフックにおけるフックケーシングの背面図である。
【図９】図１のハンガーフックにおけるフックの側面図である。
【図１０】図１のハンガーフックにおけるダンパ保持部材の正面図である。
【図１１】図１のハンガーフックにおけるダンパ保持部材の側面図である。
【発明を実施するための形態】
【０００８】
図面を参照して本発明の実施の形態を説明する。
図１ないし図４において、ハンガーフック１は、上下方向縦長のフックケーシング２と、フックケーシング２の前面側に沿って上下方向に延び、下端側において水平軸４によりフックケーシング２に起立倒伏自在に枢支されるフック３と、フックケーシング２を壁板Ｐに固定するためのラッチ部材２３とを具備する。図５において、フックケーシング２内には、フック３を倒伏方向に付勢するためのばね５と、フック３の回転を抑制するようにフック３に結合される回転ダンパ６が設けられる。
【０００９】
図６、図９において、フック３は、下端側にセクタ歯車７を有する。フック３は、下端側においてセクタ歯車７をフックケーシング２内に向けてフックケーシングに組み込まれる。セクタ歯車７は、水平軸４を中心に回転するように配置される。図１１において、回転ダンパ６は、制動機構を内蔵するケーシング８と、回転軸９と、回転軸９に固着された制動歯車１０とを具備する。回転ダンパ６のケーシング８は、図５，６に示すように、ダンパ保持部材１７を介してフックケーシング２に固定され、歯車１０はフック３のセクタ歯車７に噛み合う（図６）。したがって、フック３は、その起立倒伏動作に応じて回転ダンパ６の回転軸９を回転させる。それによって、特に、フック３が起立状態から倒伏状態へ復帰する動作が遅延する。
【００１０】
図３，６，８に示すように、フックケーシング２は、壁板Ｐに形成される取り付け開口Ｐ１に前後方向に嵌挿される嵌挿部１１と、この嵌挿部１１の前端部周縁に形成される鍔部１２と、倒伏状態のフック３を収納するように前面側に開放する収納凹部１３（図５，７）とを具備する。収納凹部１３は、壁板Ｐとほぼ平行に配置される後壁部１４と、その前縁部を囲む鍔部１２とにより形成される。後壁部１４は、下部において開口１５により後方へ抜けている。フックケーシング２は、嵌挿部１１を取り付け開口Ｐ１に前後方向に嵌挿させ、鍔部１２を壁板Ｐの前面に当接させるように壁板Ｐに装着される。嵌挿部１１の下端部には、その外周面から下方へ突出した抜け止め爪１１ａを備える。この抜け止め爪１１ａは、フックケーシング２を壁板Ｐに取り付けるときに、壁板Ｐの取り付け開口Ｐ１への嵌挿部１１の挿入を妨げないが、壁板Ｐの取り付け開口Ｐ１に嵌挿部１１を挿入したら、壁板Ｐの取り付け開口Ｐ１の縁に係合して起立状態のフック３にかかる前方への荷重によってフックケーシング２が壁板Ｐからの浮き上がめのを阻止する。
【００１１】
図２、図４に示すように、嵌挿部１１は、鍔部１２および収納凹部１３と一体に形成される左右一対の側壁部１６と、側壁部１６間に嵌合固定されるダンパ保持部材１７とを具備する。側壁部１６は、左右の鍔部１２の内側から直交方向に後方へ互いに平行に延びる。図４、図５に示すように、側壁部１６の下端側に、フック３を枢支する水平軸４が支持される。図５に示すように、フック３のセクタ歯車７は、開口１５から後方の嵌挿部１１内へ張り出している。
【００１２】
図１０，１１に示すように、ダンパ保持部材１７は、後端壁１８と、後端壁１８から垂直に起立する支持板部１９と、係合爪２０とを具備し、支持板部１９の一側面には、回転ダンパ６のケーシング８を嵌合保持する保持凹部１９ａが形成される。図２，図５に示すように、ダンパ保持部材１７は、後端壁１８で嵌挿部１１の一対の側壁部１６の後端部間を閉じるように側壁部１６間に嵌合される。支持板部１９は、側壁部１６と平行に配置され、係合爪２０は、後端壁１８を側壁部１６間に嵌合させたとき、側壁部１６に形成された係合部１６ａにスナップ係合する（図４，５）。
【００１３】
図１０，１１に示すように、回転ダンパ６は、回転軸９を支持板部１９と直交方向に向け、制動歯車１０を支持板部１９の一側面から側方へ突出させて支持板部１９に固定される。回転ダンパ６がダンパ保持部材１７の保持凹部１９ａに嵌合固定された状態で、ダンパ保持部材１７が側壁部１６間に嵌合されるとき、図６に示すように、制動歯車１０がフック３のセクタ歯車７に噛み合うように配置される。回転ダンパ６のケーシング８は、機構部を内蔵する円筒部８ａと円筒部８ａの外周から側方へ延出するイヤ部８ｂとを具備する。イヤ部８ｂは、軸孔８ｃを有する。軸孔８ｃは、側壁部１６に形成されたピン孔１６ｂ（図４）に対応し、側壁部１６間を貫通するピン２１が挿通される（図５）。
【００１４】
図５に示すように、フックケーシング２には、フック３を起立させた状態において収納凹部１３の前面側から回転操作可能な位置に、後壁部１４を前後方向に貫通する操作ねじ２２が挿通される。操作ねじ２２には、フックケーシング２の後方位置において、当該操作ねじ２２に対して供回りするように所定の摩擦抵抗をもって螺合するラッチ部材２３が螺合される。操作ねじ２２とラッチ部材２３との相対回転の摩擦抵抗は、ラッチ部材２３と後壁部１４との間に挿入されたばね２４によりもたらされる。図２，図８に示すように、フックケーシング２には、ラッチ部材２３の回転角度をほぼ９０°に制限する停止面２５ａ，２５ｂが設けられる。すなわち、ラッチ部材２３は、停止面２５ａに当接して取り付け開口Ｐ１への挿入を妨げない初期位置から、停止面２５ｂに当接して取り付け開口Ｐ１に対して出入り不能となる抜け止め位置まで操作ねじ２２と共に回転可能である。ラッチ部材２３が停止面２５ｂに当接した後、さらに操作ねじ２２を締め付けると、ラッチ部材２３は、抜け止め位置において操作ねじ２２により前方へ引き寄せられ、鍔部１２との間で壁板Ｐを挟持する。
【００１５】
ハンガーフック１を組み立てる際には、フックケーシング２にフック３およびラッチ部材２３を装着する。一方、ダンパ保持部材１７の保持凹部１９ａに回転ダンパ６を密に嵌合させ、両者を一体化する。回転ダンパ６を組み込んだダンパ保持部材１７を側壁部１６間に嵌合させれば、係合爪２０が係合部１６ａに係合してダンパ保持部材１７が側壁部１６間に固定され、同時に回転ダンパ６の制動歯車１０がフック３のセクタ歯車７に噛み合う。次いで、ピン孔１６ｂ，８ｃにピン２１を圧入し、回転ダンパ６をダンパ支持部材１７と共に確実に側壁部１６に固定する。ハンガーフック１の組み立ては容易である。
【００１６】
ハンガーフック１を壁板Ｐに取り付ける場合には、図２に仮想線で示すように、ラッチ部材２３をフックケーシング２の停止面１５ａに当接させた初期位置に配置した状態で、予め壁板Ｐに形成されている取り付け孔Ｐ１にフックケーシング２の嵌挿部１１を挿入する。フック３を起立させ、操作ねじ２２の頭部を前方へ露出させ、ドライバで前方から操作ねじ２２を締め込む。操作ねじ２２とラッチ部材２３との螺合部には所定の摩擦抵抗があるため、ラッチ部材２３が操作ねじ２２と共にほぼ９０°回転し、図２に実線で示すように、停止面２５ｂに当接して抜け止め位置に配置される。さらに操作ねじ２２を締め込むと、ラッチ部材２３は停止面２５ｂに拘束されて操作ねじ２２と共回りできないから、停止面２５ｂに沿って前方へ引き寄せられ、図３，図４に示すように、フックケーシング２の鍔部１２との間に壁板Ｐを把持する。ハンガーフック１は、壁板Ｐの前面側からの作業のみで壁板Ｐに取り付けることができる。
【００１７】
例えば、コートをハンガーフック２に掛けるときには、一方の手でコートの後ろ襟付近を握り持ちつつ、その手の指をフック３の上端に掛けてフック３をフックケーシング２から引き起こす。フック３は、回転ダンパ６の制動により、ゆっくり倒伏するので、その間に、コートを握った片手でコートをフック３に掛けることができる。あるいは、直接コート等をフック３の先端に掛けながら、これを引き起こすことができる。
【００１８】
フック３をフックケーシング２から引き起こしたり、フック３からコート等を外すときなどに、フック３に前方への荷重がかかっても、抜け止め爪１１ａが壁板Ｐの取り付け開口Ｐ１の縁に係合してフックケーシング２が壁板Ｐから浮き上がることがない。
【００１９】
ハンガーフック１を壁板Ｐから取り外す場合には、フック３を起立させた状態で、前方からラッチ部材２３の操作ねじ２２を緩める方向に反転操作する。ラッチ部材２３が壁板Ｐから離れれば、押しばね３６に付勢されたラッチ部材２３が停止面２５ａに当接するまでねじ２２と共回りするので、ハンガーフック１を壁板Ｐの取り付け開口Ｐ１から抜き取ることができる。
【符号の説明】
【００２０】
１      ハンガーフック
２      フックケーシング
３      フック
４      水平軸
５      ばね（付勢手段）
６      回転ダンパ
７      セクタ歯車
８      ダンパケーシング
８ａ    円筒部
８ｂ    イヤ部
８ｃ    軸孔
９      ダンパの回転軸
１０    制動歯車
１１    嵌挿部
１１ａ  抜け止め爪
１２    鍔部
１３    収納凹部
１４    後壁部
１５    開口
１６    側壁部
１７    ダンパ保持部材
１８    後端壁
１９    支持板部
１９ａ  保持凹部
２０    係合爪
２１    ピン
２２    操作ねじ
２３    ラッチ部材
２４    ばね
２５ａ  停止面
２５ｂ  停止面
Ｐ      壁板
Ｐ１    取り付け開口
【図１】
2018187214.tif 000003
【図２】
2018187214.tif 000004
【図３】
2018187214.tif 000005
【図４】
2018187214.tif 000006
【図５】
2018187214.tif 000007
【図６】
2018187214.tif 000008
【図７】
2018187214.tif 000009
【図８】
2018187214.tif 000010
【図９】
2018187214.tif 000011
【図１０】
2018187214.tif 000012
【図１１】
2018187214.tif 000013
【手続補正書】
【提出日】平成30年10月1日(2018.10.1)
【手続補正１】
【補正対象書類名】特許請求の範囲
【補正対象項目名】全文
【補正方法】変更
【補正の内容】
【特許請求の範囲】
【請求項１】
内装壁を構成する壁板の前面側に固定される上下方向に長いフックケーシングと、フックケーシングの前面側に沿って上下方向に延び下端側において水平軸によりフックケーシングに起立倒伏自在に枢支され当該水平軸周りのセクタ歯車を有するフックと、フックケーシング内に設けられフックを倒伏方向に付勢する付勢手段と、フックケーシング内に固定されフックのセクタ歯車に噛み合う制動歯車を有する回転ダンパとを具備し、
前記フックケーシングは、前記壁板に形成される取り付け開口に前後方向に嵌挿される嵌挿部と、この嵌挿部の前端部外周に形成され壁板の前面に当接する鍔部と、倒伏状態の前記フックを収納するように前面側に開放する収納凹部とを具備し、
前記フックケーシングには、前記フックを起立させた状態において前記収納凹部の前面側から回転操作可能な位置に、前記収納凹部を前後方向に貫通する操作ねじが挿通され、
前記操作ねじには、前記フックケーシングの後方位置において、当該操作ねじに対して供回りするための所定の摩擦抵抗をもって螺合するラッチ部材が螺合され、
前記ラッチ部材は、前記フックケーシングに対して前記取り付け開口への挿入を妨げない初期位置と取り付け開口に対して出入り不能となる抜け止め位置とで回転規制され、両位置間で前記操作ねじと共に回転可能で、抜け止め位置において操作ねじにより前方へ引き寄せられて前記鍔部との間で壁板を挟持可能に構成され、
前記嵌挿部の下端部外周面から突出し、前記壁板の取り付け開口への嵌挿部の挿入を妨げることなく、起立状態の前記フックにかかる前方への荷重による前記鍔部と前記ラッチ部材との壁板の挟み込み部分から外れて位置する前記フックケーシングの下端側の壁板からの浮き上がりを阻止する抜け止め爪を具備することを特徴とするハンガーフック。
【請求項２】
前記嵌挿部は、前記収納凹部および鍔部と一体に形成され後方へ互いに平行に延びる左右一対の側壁部と、前記回転ダンパを保持して当該一対の側壁部間に嵌合固定されるダンパ保持部材とを具備し、
前記ダンパ保持部材は、前記一対の側壁部の後端部間を閉じる後端壁と、当該後端壁から側壁部と平行に垂直に起立する支持板部と、側壁部への嵌合時に当該側壁部にスナップ係合する係合爪とを具備し、
前記支持板部は、その一側面に、前記回転ダンパの本体を嵌合保持する保持凹部を具備し、
前記回転ダンパは、回転軸を前記支持板部と直交方向に向け前記制動歯車を支持板部の一側面から側方へ突出させて支持板部に固定され、前記ダンパ保持部材が前記一対の側壁部に嵌合されるとき、制動歯車が前記フックのセクタ歯車に噛み合うように配置されることを特徴とする請求項１に記載のハンガーフック。